(57)【要約】【課題】間違った桁数のパスワードが設定された印刷ジョブが印刷装置に送られることを防止する情報処理装置を提供する。【解決手段】印刷装置に送信可能な印刷ジョブに対して設定されるパスワードの桁数が前記印刷装置で印刷ジョブに対して利用可能なパスワードの桁数であるか否かを判断する桁数判断手段と、前記印刷装置に送信可能な印刷ジョブに対して設定されるパスワードの桁数が前記印刷装置で印刷ジョブに対して利用可能なパスワードの桁数ではないと前記桁数判断手段が判断した場合、前記印刷装置に送信可能な印刷ジョブの前記印刷装置に対する送信を中止する印刷ジョブ送信中止手段と、を備える。【選択図】図３
2020009233.tif 000002
【特許請求の範囲】
【請求項１】
印刷装置に送信可能な印刷ジョブに対して設定されるパスワードの桁数が前記印刷装置で印刷ジョブに対して利用可能なパスワードの桁数であるか否かを判断する桁数判断手段と、
前記印刷装置に送信可能な印刷ジョブに対して設定されるパスワードの桁数が前記印刷装置で印刷ジョブに対して利用可能なパスワードの桁数ではないと前記桁数判断手段が判断した場合、前記印刷装置に送信可能な印刷ジョブの前記印刷装置に対する送信を中止する印刷ジョブ送信中止手段と、
を備えることを特徴とする情報処理装置。
【請求項２】
印刷装置に送信可能な印刷ジョブに対して設定されるパスワードの桁数が前記印刷装置で印刷ジョブに対して利用可能なパスワードの桁数であるか否かを判断する桁数判断手段と、
前記印刷装置に送信可能な印刷ジョブに対して設定されるパスワードの桁数が前記印刷装置で印刷ジョブに対して利用可能なパスワードの桁数ではないと前記桁数判断手段が判断した場合、前記印刷装置に送信可能な印刷ジョブに対して設定されるパスワードを前記印刷装置で印刷ジョブに対して利用可能な桁数のパスワードに更新するパスワード更新手段と、
前記パスワード更新手段により更新されたパスワードが設定された印刷ジョブを前記印刷装置に送信する印刷ジョブ送信手段と、
を備えることを特徴とする情報処理装置。
【請求項３】
前記パスワード更新手段は、利用者により入力されたパスワードによりパスワードを更新することを特徴とする、
請求項２に記載の情報処理装置。
【請求項４】
前記パスワード更新手段は、自情報処理装置により生成されたパスワードによりパスワードを更新することを特徴とする、
請求項２に記載の情報処理装置。
【請求項５】
前記パスワード更新手段は、他情報処理装置により生成されたパスワードによりパスワードを更新することを特徴とする、
請求項２に記載の情報処理装置。
【請求項６】
前記パスワード更新手段により更新されたパスワードを、前記印刷装置に送信可能な印刷ジョブに対して設定されるパスワードとして新たに保存するパスワード保存手段を更に備えることを特徴とする、
請求項２乃至５の何れか１項に記載の情報処理装置。
【請求項７】
前記印刷装置に送信可能な印刷ジョブに対して設定されるパスワードとは、既に印刷ジョブに設定されているものであることを特徴とする、
請求項１乃至６の何れか１項に記載の情報処理装置。
【請求項８】
前記印刷装置に送信可能な印刷ジョブに対して設定されるパスワードとは、印刷ジョブに設定されるものとして予定されているものであることを特徴とする、
請求項１乃至６の何れか１項に記載の情報処理装置。
【請求項９】
印刷装置で印刷ジョブに対して利用可能なパスワードの桁数を前記印刷装置に問い合わせる問合せ手段を更に備えることを特徴とする、
請求項１乃至８の何れか１項に記載の情報処理装置。
【請求項１０】
印刷ジョブに対してパスワードが設定される以前に前記問合せ手段が動作することを特徴とする、
請求項９に記載の情報処理装置。
【請求項１１】
印刷ジョブに対してパスワードが設定された後に前記問合せ手段が動作することを特徴とする、
請求項９に記載の情報処理装置。
【請求項１２】
印刷装置に送信可能な印刷ジョブに対して設定されるパスワードの桁数が前記印刷装置で印刷ジョブに対して利用可能なパスワードの桁数であるか否かを判断する桁数判断ステップと、
前記印刷装置に送信可能な印刷ジョブに対して設定されるパスワードの桁数が前記印刷装置で印刷ジョブに対して利用可能なパスワードの桁数ではないと前記桁数判断ステップで判断した場合、前記印刷装置に送信可能な印刷ジョブの前記印刷装置に対する送信を中止する印刷ジョブ送信中止ステップと、
を有することを特徴とする印刷制御方法。
【請求項１３】
印刷装置に送信可能な印刷ジョブに対して設定されるパスワードの桁数が前記印刷装置で印刷ジョブに対して利用可能なパスワードの桁数であるか否かを判断する桁数判断ステップと、
前記印刷装置に送信可能な印刷ジョブに対して設定されるパスワードの桁数が前記印刷装置で印刷ジョブに対して利用可能なパスワードの桁数ではないと前記桁数判断ステップで判断した場合、前記印刷装置に送信可能な印刷ジョブに対して設定されるパスワードを前記印刷装置で印刷ジョブに対して利用可能な桁数のパスワードに更新するパスワード更新ステップと、
前記パスワード更新ステップにより更新されたパスワードが設定された印刷ジョブを前記印刷装置に送信する印刷ジョブ送信ステップと、
を有することを特徴とする印刷制御方法。
【請求項１４】
印刷装置で印刷ジョブに対して利用可能なパスワードの桁数を前記印刷装置に問い合わせる問合せ手段を更に備えることを特徴とする、
請求項１２又は１３に記載の印刷制御方法。
【請求項１５】
コンピュータを請求項１乃至１１の何れか１項に記載の情報処理装置として機能させるための印刷制御用プログラム。
【請求項１６】
デバイス・ドライバであることを特徴とする、請求項１５に記載の印刷制御用プログラム。
【発明の詳細な説明】
【技術分野】
【０００１】
本発明は、情報処理装置、印刷制御方法及び印刷制御法プログラムに関し、特に、パスワードが設定された印刷ジョブを印刷装置に送る情報処理装置、印刷制御方法及び印刷制御法プログラムに関する。
【背景技術】
【０００２】
従来より印刷装置の中には、情報処理装置から送られてきた印刷ジョブに従ってそれに含まれる印刷データを印刷することを、その印刷ジョブに設定されたパスワードと同一のパスワードが印刷装置に入力された場合に限るものがある。このような印刷装置を利用者が利用する場合には、利用者は、情報処理装置から印刷ジョブを送る前に情報処理装置を介して印刷ジョブに対してパスワードを設定する。そして、利用者は、印刷装置のユーザインターフェースを介して、印刷装置に同一のパスワードを入力する。
【０００３】
こうすることにより、印刷ジョブに設定されたパスワードを知っている者だけが印刷装置に対して印刷を実行させることができるので、印刷ジョブに含まれる印刷データのセキュリティを確保することができる。
【先行技術文献】
【特許文献】
【０００４】
【特許文献１】特開７−１８４０２１号公報
【０００５】
ところで、印刷ジョブに対して設定するパスワードの桁数は、印刷装置のメーカに依存し、同一のメーカの印刷装置であっても型番に依存する場合もある。例えば、或る機種の印刷装置は４桁のパスワードのみを扱えるが、別の或る機種の印刷装置は５桁から８桁のパスワードのみを扱える。これに対して、情報処理装置が印刷装置に印刷を実行させるためのプリンタドライバなどのソフトウェアには、４桁のパスワードのみを扱えるもの、５桁から８桁のパスワードのみを扱えるものもあるが、４桁から８桁のパスワードを扱えるものもある。
【０００６】
或る機種の印刷装置にその機種の印刷装置で扱うことができない桁数のパスワードが設定された印刷ジョブが送られた場合、その印刷装置は、その印刷ジョブに基づいて印刷を実行することができない。
【０００７】
状況としては、例えば、或る会社の或る部門で特定の機種の印刷装置を使用していたが、扱えるパスワードの桁数が異なる新しい機種の印刷装置を導入した場合、その部門の利用者が新しい機種の印刷装置に送る印刷ジョブに対して、それまでの機種に送る印刷装置に対して設定していたパスワードを間違って設定してしまうことがある。このような場合には、印刷装置は、印刷を実行することができない。
【０００８】
そのような場合には、利用者は、印刷装置で印刷が実行できなくなって初めてパスワードの桁数が間違っていたことを知ることができる。更には、印刷が実行できない理由が他にあると誤判断して、パスワードの桁数が間違っていたことを知ることさえできないこともある。
【０００９】
なお、特許文献１には、所定の桁数の数値より構成されるパスワード及び所定の桁数を上回る数の任意の文字より構成されるパスワードの双方を扱える送信側ファクシミリ装置と受信側ファクシミリ装置が開示されているが、これは、上記の課題を解決することができない。
【００１０】
そこで、本発明は、間違った桁数のパスワードが設定された印刷ジョブが印刷装置に送られることを防止する情報処理装置、印刷制御方法及び印刷制御法プログラムを提供することを目的とする。
【発明の概要】
【課題を解決するための手段】
【００１１】
本発明によれば、
印刷装置に送信可能な印刷ジョブに対して設定されるパスワードの桁数が前記印刷装置で印刷ジョブに対して利用可能なパスワードの桁数であるか否かを判断する桁数判断手段と、
前記印刷装置に送信可能な印刷ジョブに対して設定されるパスワードの桁数が前記印刷装置で印刷ジョブに対して利用可能なパスワードの桁数ではないと前記桁数判断手段が判断した場合、前記印刷装置に送信可能な印刷ジョブの前記印刷装置に対する送信を中止する印刷ジョブ送信中止手段と、
を備えることを特徴とする情報処理装置が提供される。
【００１２】
また、本発明によれば、
印刷装置に送信可能な印刷ジョブに対して設定されるパスワードの桁数が前記印刷装置で印刷ジョブに対して利用可能なパスワードの桁数であるか否かを判断する桁数判断手段と、
前記印刷装置に送信可能な印刷ジョブに対して設定されるパスワードの桁数が前記印刷装置で印刷ジョブに対して利用可能なパスワードの桁数ではないと前記桁数判断手段が判断した場合、前記印刷装置に送信可能な印刷ジョブに対して設定されるパスワードを前記印刷装置で印刷ジョブに対して利用可能な桁数のパスワードに更新するパスワード更新手段と、
前記パスワード更新手段により更新されたパスワードが設定された印刷ジョブを前記印刷装置に送信する印刷ジョブ送信手段と、
を備えることを特徴とする情報処理装置が提供される。
【００１３】
更に、本発明によれば、
印刷装置に送信可能な印刷ジョブに対して設定されるパスワードの桁数が前記印刷装置で印刷ジョブに対して利用可能なパスワードの桁数であるか否かを判断する桁数判断ステップと、
前記印刷装置に送信可能な印刷ジョブに対して設定されるパスワードの桁数が前記印刷装置で印刷ジョブに対して利用可能なパスワードの桁数ではないと前記桁数判断ステップで判断した場合、前記印刷装置に送信可能な印刷ジョブの前記印刷装置に対する送信を中止する印刷ジョブ送信中止ステップと、
を有することを特徴とする印刷制御方法が提供される。
【００１４】
更に、本発明によれば、
印刷装置に送信可能な印刷ジョブに対して設定されるパスワードの桁数が前記印刷装置で印刷ジョブに対して利用可能なパスワードの桁数であるか否かを判断する桁数判断ステップと、
前記印刷装置に送信可能な印刷ジョブに対して設定されるパスワードの桁数が前記印刷装置で印刷ジョブに対して利用可能なパスワードの桁数ではないと前記桁数判断ステップで判断した場合、前記印刷装置に送信可能な印刷ジョブに対して設定されるパスワードを前記印刷装置で印刷ジョブに対して利用可能な桁数のパスワードに更新するパスワード更新ステップと、
前記パスワード更新ステップにより更新されたパスワードが設定された印刷ジョブを前記印刷装置に送信する印刷ジョブ送信ステップと、
を有することを特徴とする印刷制御方法が提供される。
【００１５】
更に、本発明によれば、コンピュータを上記の情報処理装置として機能させるための印刷制御用プログラムが提供される。
【発明の効果】
【００１６】
本発明によれば、間違った桁数のパスワードが設定された印刷ジョブが印刷装置に送られることを防止することができる。
【図面の簡単な説明】
【００１７】
【図１】本発明の実施の形態による印刷システムに含まれる複合機と情報処理装置の接続関係と各々の構成を示すブロック図である。
【図２】本発明の実施の形態による情報処理装置が表示する画面を示す図である。
【図３】本発明の第１の実施の形態による情報処理装置により実行される印刷制御方法を説明するためのフロー茶オートである。
【図４】本発明の第２の実施の形態による情報処理装置により実行される印刷制御方法を説明するためのフロー茶オートである。
【図５】本発明の第３の実施の形態による情報処理装置により実行される印刷制御方法を説明するためのフロー茶オートである。
【発明を実施するための形態】
【００１８】
以下、図面を参照して本発明を実施するための形態について詳細に説明する。
【００１９】
［第１の実施の形態］
まず、図１を参照して、本実施形態による印刷システムの構成について説明する。
【００２０】
印刷装置としての機能も有するＭＦＰ１００は、記憶部１０１、制御部１０２、操作部１０３、通信部１０４を含む。制御部１０２は、ＭＦＰ１００の全体の機能を制御する。記憶部１０１は、印刷データを保存する。操作部１０３は、印刷するデータを選択したり、パスワードを入力する画面を表示する。通信部１０４は、ＬＡＮやＵＳＢを介して、情報処理装置であるパーソナルコンピュータ（以下、「ＰＣ」ともいう。）１１０と送受信を行う。
プリンタドライバ１２０は、制御部１２１と設定記憶部１２２と操作部１２３を備えている。
【００２１】
次に、ＰＣ１１０の説明をすると、プリンタドライバ１２０に含まれる制御部１２１は、プリンタドライバ１２０の全体の機能を制御する。また、制御部１２１は、アプリケーション１３０とデータの送受信を行ったり、通信部１１１を用いてＭＦＰ１００に印刷ジョブなどのデータを送信する。更に、制御部１２１は、設定記憶部１２２に指示をしてプリンタドライバの設定を保存したりする。特に、制御部１２１は、印刷ジョブに設定するパスワードを設定記憶部１２２に対して読み書きする。操作部１２３は、パスワードの使用／不使用の設定、パスワード、印刷パラメーターなどを設定する画面を備えている。
【００２２】
アプリケーション１３０はプリンタドライバ１２０を操作して印刷データを送信するアプリケーションプログラムである。
【００２３】
図２を参照すると、プリンタドライバ１２０により、プロパティの設定のダイアログ２０１におけるメインタブ２０３が選択されたときに表示される画面には、ドキュメントファイリングの種類を設定するためのコンボボックス２０５がある。このコンボボックス２０５では、ドキュメントファイリングの種類として、「なし」、「印刷せずにホルド」、「印刷後にホルド」及び「サンプルプリント」が選択可能であるが、これらのうち「印刷せずにホルド」、「印刷後にホルド」又は「サンプルプリント」が選択された場合には、パスワードのチェックボックス２０７がチェックされることにより、パスワード入力用のエディットボックス２０９に入力されたパスワードを今後ＰＣ１１０からＭＦＰ１００に送る印刷ジョブに設定することができる。通常は、印刷ジョブをＭＦＰ１００に送る直前に印刷ジョブに対してパスワードを設定する。ここで、パスワードが設定された印刷ジョブは必要に応じて情報処理装置にスプールされるが、利用者による指示などにより積極的に他の記憶部に蓄積されて、後に情報処理装置に送信されてもよい。
【００２４】
なお、設定記憶部１２２を用いて、他の設定と一緒にパスワードをお気に入りに保存することもでき、印刷実行前にそのお気に入りを呼び出すことにより、印刷時にＰＣ１１０からＭＦＰ１００に送る印刷ジョブに設定することもできる。この場合であっても、スワードが設定された印刷ジョブは必要に応じて情報処理装置にスプールされるが、利用者による指示などにより他の記憶部に蓄積されて、後に情報処理装置に送信されてもよい。
【００２５】
図３を参照すると、操作部１２３に設けられた印刷ボタンが利用者により押されたならば（ステップＳ３０１）、ＰＣ１１０は、印刷ジョブにパスワードが設定されているか否かを調べる（ステップＳ３０３）。
【００２６】
設定されているならば（ステップＳ３０３でＹＥＳ）、ＰＣ１１０は、ＭＦＰ１００に対してＭＦＰ１００で使用可能なパスワードの桁数を問い合わせる（ステップＳ３０５）。
【００２７】
次に、ＭＦＰ１００は、パスワードの桁数をＰＣ１１０に送信する（ステップＳ３０７）。
【００２８】
次に、ＰＣ１１０は、印刷ジョブに設定されているパスワードの桁数がＭＦＰ１００で利用可能なパスワードの桁数であるか否かを調べる（ステップＳ３０９）。
【００２９】
利用可能な桁数でなければ（ステップＳ３０９でＮＯ）、動作を終了する。動作終了の際には、印刷ジョブに設定されているパスワードの桁数が印刷装置で利用可能な桁数ではないこと、更には、利用可能な桁数を、画面表示や音声などで利用者に知らせるようにしてもよい。参考として、印刷ジョブに設定されているパスワードやその桁数を画面表示や音声などで利用者に知らせるようにしてもよい。
【００３０】
例えば、桁数の案内として、ＰＣ１１０の画面に、例えば、「ＭＦＰで使用可能なパスワードの桁数は●●ですが、印刷ジョブに含まれているパスワードの桁数は▲▲です。印刷を終了します。」というメッセージを表示する。
【００３１】
利用可能な桁数であれば（ステップＳ３０９でＹＥＳ）、ＰＣ１１０は、ＭＦＰ１００に印刷ジョブを送信する（ステップＳ３１１）。ここで、印刷ジョブには、ジョブ名、印刷制御命令、印刷データ、パスワードなどを含ませる。
【００３２】
次に、ＭＦＰ１００は、利用者から操作部１０３を介してパスワードを入力する（ステップＳ３１３）。なお、利用者は、ステップＳ３０１ではＰＣ１１０を利用可能な位置にいるが、ステップＳ３１３ではＭＦＰ１００を利用可能な位置にいる。ステップＳ３１１の前にステップＳ３１３が実行されてもよい。
【００３３】
なお、ステップＳ３１３では、入力されたパスワードの桁数を確認して、間違っている場合には、利用者により正しい桁数のパスワードが入力されるまで待つようにしてもよい。
【００３４】
次に、ＭＦＰ１００は、ステップＳ３１１でＰＣ１１０から受信したパスワードとステップＳ３１３で利用者から入力したパスワードとが一致するか否かを調べる（ステップＳ３１５）。
【００３５】
一致すれば（ステップＳ３１５でＹＥＳ）、ＭＦＰ１００は、ステップＳ３１１で送られてきた印刷ジョブに含まれている印刷データをステップＳ３１５で使用可能であることが判断されたパスワードにより暗号解読してから（ステップＳ３１７）、解読後の印刷データをステップＳ３１１で送られてきた印刷ジョブに含まれている印刷制御命令を利用して印刷する（ステップＳ３１９）。
【００３６】
ステップＳ３１１でＰＣ１１０から受信したパスワードとステップＳ３１３で利用者から入力したパスワードとが一致しなければ（ステップＳ３１５でＮＯ）、印刷をせずに動作を終了する。
【００３７】
［第２の実施の形態］
図４は、第２の実施の形態による印刷方法を説明するためのフローチャートである。
【００３８】
第２の実施の形態による印刷方法が第１の実施の形態による印刷方法と異なる点のみを説明する。
【００３９】
第１の実施の形態では、印刷ジョブの設定されているパスワードの桁数がＭＦＰ１００で使用可能なパスワードの桁数でなければ（ステップＳ３０９でＮＯ）、動作を終了する。
【００４０】
これに対して、第２の実施の形態では、印刷ジョブの設定されているパスワードの桁数がＭＦＰ１００で使用可能なパスワードの桁数でなければ（ステップＳ３０９でＮＯ）、パスワードの桁数の案内をしてから利用者から操作部１２３を介してパスワードを入力する（ステップＳ３１３）。ここで、桁数の案内として、ＰＣ１１０の画面に、例えば、「ＭＦＰで使用可能なパスワードの桁数は●●ですが、印刷ジョブに含まれているパスワードの桁数は▲▲です。●●桁のパスワードを入力してください。」というメッセージを表示する。利用者は、これに応じて●●桁のパスワードを入力する。
【００４１】
ステップＳ３１３からステップＳ３０９に戻ると、ＰＣ１１０は、ステップＳ３１３で入力されたパスワードの桁数がＭＦＰ１００で使用可能なパスワードの桁数であるか否かを調べる（ステップＳ３０９）。
【００４２】
使用可能でなければ、ステップＳ３３１に進み、使用可能であれば、ステップＳ３１１に進む。
【００４３】
ステップＳ３３１で再入力されたパスワードをその時に選択されているお気に入りのパスワードとして設定記憶部１２２に書き込んでもよい。
【００４４】
［第３の実施の形態］
図５は、第３の実施の形態による印刷方法を説明するためのフローチャートである。
【００４５】
第３の実施の形態による印刷方法が第１の実施の形態による印刷方法と異なる点のみを説明する。
【００４６】
第１の実施の形態では、印刷ジョブの設定されているパスワードの桁数がＭＦＰ１００で使用可能なパスワードの桁数でなければ（ステップＳ３０９でＮＯ）、動作を終了する。
【００４７】
これに対して、第３の実施の形態では、印刷ジョブの設定されているパスワードの桁数がＭＦＰ１００で使用可能なパスワードの桁数でなければ（ステップＳ３０９でＮＯ）、ＰＣ１１０は、パスワードをＭＦＰ１００で使用可能な桁数のものに更新してから（ステップＳ３４１）、更新後のパスワードを画面に表示し（ステップＳ３４３）、それからステップＳ３１１に進む。
【００４８】
ここで、ＰＣ１１０は、ＭＦＰ１００から送信されてきた桁数のパスワードを、所定の方法により生成することができる。乱数を利用してパスワードを生成してもよいし、印刷ジョブに設定されていたパスワードに基づいて所定の規則によりパスワードを生成してもよい。
【００４９】
また、利用者は、ステップ３４３でＰＣ１１０の画面に表示されたパスワードを記憶又は記録しておいてからステップＳ３１３でＭＦＰ１００に入力することができる。
【００５０】
なお、図３、図４、図５を参照して説明した方法においてＰＣ１１０が実行するステップを、ＭＦＰ１００に対応した、ＰＣ１１０で稼働するプリンタドライバが実行してもよいし、ＰＣ１１０で稼働する他のプログラムが実行してもよい。
【００５１】
ステップＳ３４１で更新されたパスワードをその時に選択されているお気に入りのパスワードとして設定記憶部１２２に書き込んでもよい。
【００５２】
ステップＳ３４１は、ＰＣ１１０にネットワークなどで接続された他の情報処理装置を用いて実行してもよい。
【００５３】
［第４の実施の形態］
第１乃至第３の実施の形態においては、その時々に実行される印刷ジョブについてパスワードに関する処理を実行する。これに対して、第４の実施の形態においては、プリンタドライバが使用する既存の１以上のお気に入りにおいて印刷ジョブに設定するパスワードとして保存されているパスワードに対して同様な処理をまとめて実行する。こうすることにより、お気に入りにより印刷ジョブに設定される全ての既存のパスワードをＭＦＰ１００に適合したものに予め修正しておくことができる。
【００５４】
［第５の実施の形態］
第１乃至第３の実施の形態においては、ステップＳ３０１及びステップＳ３０３：ＹＥＳを経てからステップＳ３０５及びステップＳ３０７を実行する。
【００５５】
これに対して、第５の実施の形態では、情報処理装置は、特定の機種の印刷装置が接続され、これに対応したプリンタドライバなどのソフトウェアがインストールされたならば、ステップＳ３０５及びステップＳ３０７を予め実行しておき、ステップＳ３０７で取得した桁数を参照できるようにしておく。
【００５６】
そして、ステップＳ３０１及びステップＳ３０３：ＹＥＳを経たならば、参照可能になっている桁数を用いてステップＳ３０９を実行する。
【００５７】
［第６の実施の形態］
第１乃至第３の実施の形態においては、ステップＳ３０１及びステップＳ３０３：ＹＥＳを経てからステップＳ３０５及びステップＳ３０７を実行する。
【００５８】
これに対して、第５の実施の形態では、情報処理装置は、特定の機種の印刷装置が接続され、これに対応したプリンタドライバなどのソフトウェアがインストールされたならば、情報処理装置などのユーザインターフェースや情報処理装置に接続できる他の情報処理装置や記録媒体などを利用して利用者から桁数を入力しておき、取得した桁数をステップＳ３０９で参照できるようにしておく。従って、第６の実施の形態では、ステップＳ３０５及びステップＳ３０７は省略される。
【００５９】
そして、ステップＳ３０１及びステップＳ３０３：ＹＥＳを経たならば、参照可能になっている桁数を用いてステップＳ３０９を実行する。
【００６０】
ドライバにおいて印刷ジョブに設定されたパスワードの桁数が４桁であり、ＭＦＰ１００で利用可能なパスワードの桁数が５〜８桁である場合、図３乃至図５のステップＳ３０９における判断の結果は、ＮＯになる。第２の実施の形態においては、利用者は、ステップＳ３３１で５〜８桁のパスワードを入力することになる。第３の実施の形態においては、ＰＣ１１０は、ステップＳ３４１で５〜８桁のパスワードを生成し、これによりパスワードを更新する。元々４桁のパスワードがあるので、残りの１〜４桁の部分を所定の規則により生成し、それを追加してもよい。
【００６１】
なお、上記のＭＦＰ１００及び情報処理装置であるＰＣ１１０は、それぞれ、ハードウェア、ソフトウェア又はこれらの組合わせにより実現することができる。また、上記のＭＦＰ１００及びＰＣ１１０により行なわれる印刷制御方法も、ハードウェア、ソフトウェア又はこれらに組合わせにより実現することができる。ここで、ソフトウェアによって実現されるとは、コンピュータがプログラムを読み込んで実行することにより実現されることを意味する。
【００６２】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００６４】
本発明は、印刷に利用することができる。
【符号の説明】
【００６５】
１００  ＭＦＰ
１０１  記憶部
１０２  制御部
１０３  操作部
１０４  通信部
１１０  ＰＣ
１１１  通信部
１２０  プリンタドライバ
１２１  制御部
１２２  設定記憶部
１２３  操作部
１３０  アプリケーション
【図１】
2020009233.tif 000003
【図２】
2020009233.tif 000004
【図３】
2020009233.tif 000005
【図４】
2020009233.tif 000006
【図５】
2020009233.tif 000007